(57)【要約】  本発明は、通信システム内の、ユーザデバイス、基地局、並びにユーザデバイス及び基地局によって行われるデータ送信及び受信方法に関する。ユーザデバイスは、動作中に、ユーザデバイスがページングされるリソースを含むページング領域であって、前記ユーザデバイスをページングするためのページング情報を含むページング領域の、開始位置を計算し、ページング領域の開始位置に関するオフセットであって、前記ユーザデバイスをページングするためのページング情報の位置を、ページング領域の開始位置に対して相対的に示すオフセットを決定する、回路を備える。【選択図】  図１４
2021503205.tif 000002
【特許請求の範囲】
【請求項１】
通信システム内で基地局へ／からデータを送信及び／又は受信するためのユーザデバイスであって、
動作中に、
ユーザデバイスがページングされるリソースを含むページング領域であって、前記ユーザデバイスをページングするためのページング情報を含む前記ページング領域の開始位置を計算し、
前記ページング領域の前記開始位置に関するオフセットであって、前記ユーザデバイスをページングするための前記ページング情報の位置を、前記ページング領域の前記開始位置に対して相対的に示す前記オフセットを決定する、
回路を備える、
ユーザデバイス。
【請求項２】
前記回路は、動作中に、さらに、
基地局から前記ページング領域の前記開始位置に関する前記オフセットのインジケータを受信し、
前記基地局から受信した前記情報に基づいて、前記ユーザデバイスをページングするための前記ページング情報の前記位置を得るように前記オフセットを決定する、
請求項１に記載のユーザデバイス。
【請求項３】
前記オフセットのインジケータは、前記ユーザデバイスをページングするための前記ページング情報を含む前記ページング領域中のページング情報の位置を示す、ページングビットマップである、請求項２に記載のユーザデバイス。
【請求項４】
前記回路は、動作中に、さらに、
前記基地局から、同期ブロックを送信するための候補位置セットのうちで前記同期ブロックが送信される複数の位置を示す同期ビットマップを受信し、
前記同期ビットマップによって示される前記複数の位置から、前記ユーザデバイスの同期のために最適な同期ブロックの位置の順序値を決定し、
前記ユーザデバイスの同期のために最適な前記同期ブロックの前記順序値は、第１のビットマップによって示される、前記ユーザデバイスをページングするための前記ページング情報の前記位置の順序値に対応する、
請求項３に記載のユーザデバイス。
【請求項５】
前記計算される開始位置はシンボルを示し、前記オフセットの前記インジケータは、前記開始に関する絶対シンボルオフセットを示す値である、請求項２に記載のユーザデバイス。
【請求項６】
前記計算される開始位置はスロットを示し、前記オフセットの前記インジケータは、前記開始位置の前記スロット中のシンボルインデックスである、請求項２に記載のユーザデバイス。
【請求項７】
前記計算される開始位置はシンボルを示し、前記オフセットの前記インジケータは、前記開始位置の前記シンボルに関するスロットオフセットと、前記スロットオフセットによって示される前記スロット中のシンボルインデックスとの組み合わせである、請求項２に記載のユーザデバイス。
【請求項８】
前記オフセットの前記インジケータは、前記基地局から受信された、残りの最小システム情報、ＲＭＳＩ、又は他のシステム情報、ＯＳＩに含められる、請求項２〜７のいずれか一項に記載のユーザデバイス。
【請求項９】
前記回路は、動作中に、前記ページング領域の前記開始位置を計算し、それぞれのページング機会、ＰＯの計算を行うことによって前記ページング情報の前記位置を示す前記オフセットを決定する、請求項１に記載のユーザデバイス。
【請求項１０】
前記ページング領域は、複数の同期ブロックの各々に対して共通の共通ページング領域である、請求項１〜９のいずれか一項に記載のユーザデバイス。
【請求項１１】
前記ユーザデバイスをページングするためのページング情報を含んだ前記ページング領域を含む複数のページング領域からのそれぞれのページング領域は、それぞれの同期ブロックと関連付けられる、請求項１又は９に記載のユーザデバイス。
【請求項１２】
前記ページング領域の前記開始位置、及び前記ユーザデバイスをページングするための前記ページング情報の前記位置は、時間領域中のリソースの位置である、請求項１〜１１のいずれか一項に記載のユーザデバイス。
【請求項１３】
前記ページング領域の前記開始位置はシンボル又はスロットを示す、請求項１〜１２のいずれか一項に記載のユーザデバイス。
【請求項１４】
前記ユーザデバイスをページングするための前記ページング情報の前記位置を示す前記オフセットは、シンボル及び／又はスロットを示す、請求項１〜１３のいずれか一項に記載のユーザデバイス。
【請求項１５】
通信システム内でユーザデバイスへ／から、データを送信及び／又は受信するための基地局であって、
動作中に、
ユーザデバイスがページングされるページング領域を決定し、
前記ページング領域の開始位置に関するオフセットであって、前記ユーザデバイスをページングするためのページング情報の位置を、前記ページング領域の開始位置に対して相対的に示す前記オフセットを決定し、
前記ユーザデバイスをページングするための前記ページング情報を、前記オフセットによって示される位置にあるリソースに割り当てる、
回路と、
動作中に、前記オフセットによって示される前記リソースの上の前記ページング情報を前記ユーザデバイスに送信する送信器と、
を備える基地局。
【請求項１６】
通信システム内で基地局へ／からデータを送信及び／又は受信するユーザデバイスによって行われるデータ送信及び／又は受信方法であって、
ユーザデバイスがページングされるリソースを含むページング領域であって、前記ユーザデバイスをページングするためのページング情報を含む前記ページング領域の開始位置を計算するステップと、
前記ページング領域の前記開始位置に関するオフセットであって、前記ユーザデバイスをページングするための前記ページング情報の位置を、前記ページング領域の前記開始位置に対して相対的に示す前記オフセットを決定するステップと、
を含む方法。
【請求項１７】
通信システム内で基地局によって行われるデータ送信及び／又は受信方法であって、
ユーザデバイスがページングされるページング領域を決定するステップと、
前記ページング領域の開始位置に関するオフセットであって、前記ユーザデバイスをページングするためのページング情報の位置を、前記ページング領域の開始位置に対して相対的に示す前記オフセットを決定するステップと、
前記ユーザデバイスをページングするための前記ページング情報を、前記オフセットによって示される位置にあるリソースに割り当てるステップと、
前記オフセットによって示される前記リソースの上の前記ページング情報を、前記ユーザデバイスに送信するステップと、
を含む方法。
【発明の詳細な説明】
【技術分野】
【０００１】
本開示は通信システム内のユーザデバイスのページング（ｐａｇｉｎｇ）に関する。
【背景技術】
【０００２】
新しい無線（ＮＲ：Ｎｅｗ  Ｒａｄｉｏ）は、５Ｇ候補技術として国際電気通信連合に提出される第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）によって開発されている技術である。ＮＲの最も注目すべき特徴の一つは、特に高周波帯域において有用となるビーム形成（非特許文献１）を用いる動作を考慮して設計されていることである。大まかに言えば、ビーム形成は、所与の無線送信のエネルギを、例えば、高周波における高い伝搬損失を補うように範囲を拡張することができるように、特定の方向に集中することを可能にする。５Ｇが、より多くの周波数帯が利用可能である高周波において動作すると期待されるので、ビーム形成動作はＮＲにおいて重要である。
【先行技術文献】
【非特許文献】
【０００３】
【非特許文献１】Ｄａｈｌｍａｎ  ｅｔ  ａｌ．“４Ｇ，ＬＴＥ−Ａｄｖａｎｃｅｄ  Ｐｒｏ  ａｎｄ  Ｔｈｅ  Ｒｏａｄ  ｔｏ  ５Ｇ”，３ｒｄ  Ｅｄ．Ｅｌｓｅｖｉｅｒ．２０１６
【発明の概要】
【発明が解決しようとする課題】
【０００４】
一つの非限定的な例示的実施形態が、ユーザ機器（ＵＥ：Ｕｓｅｒ  Ｅｑｕｉｐｍｅｎｔ）によるページングメッセージの効率的な監視を容易にする。
【課題を解決するための手段】
【０００５】
一つの一般的な態様において、本明細書で開示される技術は、通信システム内で基地局へ／から、データを送信及び／又は受信するためのユーザデバイスを提供する。このユーザデバイスは、動作中に、ユーザデバイスがページングされるリソースを含むページング領域であって、前記ユーザデバイスをページングするためのページング情報を含むページング領域の、開始位置を計算し、さらに、ページング領域の開始位置に関するオフセットであって、前記ユーザデバイスをページングするためのページング情報の位置を、ページング領域の開始位置に対して相対的に示すオフセットを決定する、回路を備える。
【０００６】
一般的な又は特定の実施形態は、システム、方法、集積回路、コンピュータプログラム、記憶媒体、又はそれらの任意の選択的な組み合わせとして実装することができることに留意されたい。
【０００７】
開示される実施形態の付加的な利益及び利点は本明細書及び図面から明白となるであろう。利益及び／又は利点は本明細書及び図面の種々の実施形態及び特徴によって個々に得ることができ、そのような利益及び／又は利点の１つ又はそれ以上を得るために、実施形態及び特徴の全てが提供される必要はない。
【図面の簡単な説明】
【０００８】
【図１】リソース内の同期ブロックの割り当ての略図である。
【図２】基地局によって実行されるビーム形成の図である。
【図３】リソース内のページング情報の割り当ての図である。
【図４】一実施形態による基地局及び送信デバイスのブロック図である。
【図５】一実施形態によるページング領域の計算の略図である。
【図６】別の実施形態によるページング領域の計算の略図である。
【図７】同期ビットマップによる同期ブロックの指示の図である。
【図８】最適な同期ブロックの決定の図である。
【図９】ページングビットマップを用いてページング情報の位置を決定する図である。
【図１０】一実施形態によるＲＲＣシグナリングの一実施例である。
【図１１】シグナリングされたオフセット値を用いてページング情報の位置を決定することの図である。
【図１２】シグナリングされたオフセット値を用いてページング情報の位置を決定することの図である。
【図１３】一実施形態によるＲＲＣシグナリングの一実施例である。
【図１４】シグナリングされたオフセット値を用いてページング情報の位置を決定することの図である。
【図１５】一実施形態によるＲＲＣシグナリングの一実施例である。
【図１６】ページング機会（ＰＯ：ｐａｇｉｎｇ  ｏｃｃａｓｉｏｎ）計算を用いてページング情報の位置を決定することの図である。
【図１７】一実施形態によるＲＲＣシグナリングの一実施例である。
【発明を実施するための形態】
【０００９】
ビーム形成動作をサポートするために、取り分け、時間／周波数同期及びページングなどの機能性を含むＮＲの幾つかの特徴を再設計する必要がある。本開示は、ＮＲにおけるページング設計に関する。セルラーシステムの文脈において、ページングは、場合により数個のセルから構成される追跡区域（ｔｒａｃｋｉｎｇ  ａｒｅａ）と呼ばれる所与の地理学的区域内のＵＥ（ＩＤＬＥモードにある）の位置をネットワークが突き止め、接続セットアップを開始する機構である。ネットワークは、ページングされるＵＥの正確な地理学的位置を知らないので、ビーム形成されたページングメッセージ（ＮＲにおいて使用される）が、ページングされるＵＥが確実に見出されるように、種々の方向、種々の時刻に送信される必要がある。類似の挙動が、時間及び周波数基準をＵＥに与える同期信号のために、既に承認されている。即ち、これらの信号はセル内で、ＵＥがいわゆる同期ブロック（ＳＳＢ：ｓｏ−ｃａｌｌｅｄ  Ｓｙｎｃｈｒｏｎｉｚａｔｉｏｎ  Ｂｌｏｃｋｓ）から時間−周波数基準及び何か他の情報を得た後にシステムにアクセスすることができるように、ビーム探索される（即ち、種々の時刻に種々のビーム上で送信される）。この故に、ＳＳＢ及びページング信号／メッセージが類似の挙動示す、即ち、両方がビーム探索される必要があると、ある特定のアソシエーション又は関係を利用することができると期待される。ＳＳＢは、時間領域内に所定数のシンボル、例えば、４つのシンボル、並びに所定数のサブキャリア又は物理リソースブロックから成るリソースのブロックである。シンボル及び／又はサブキャリア若しくは物理リソースブロックの数は、標準的に定めることができ、又はシステムリソース内で設定可能とすることができる。ＳＳＢは、ＰＰＳ、ＳＳＳ及びＰＢＣＨを搬送することができる。
【００１０】
本開示は、これらの関係を、より効率的なページング動作を達成することができるように、具体的には、ページング信号が送信される全時間間隔をＵＥが監視することを回避するように、利用する幾つかの方式／機構を提供する。それよりも、目標は、ネットワークがＵＥの位置に一致する適切な方向にビーム形成されたページング信号を送信する特定の時刻にのみＵＥが可能性のあるページングメッセージをリッスンする（ｌｉｓｔｅｎ）ことができる手段を提供することである。ここで、「手段（ｍｅａｎｓ）」は、例えば、関連するビーム形成されたページング信号が送信される実際の周波数及び時間位置を示す必要なシグナリング／情報のことを指す。
【００１１】
本開示は、ＮＲアクセス技術（ＲＰ−１７１４１８−“Ｒｅｖｉｓｉｏｎ  ｏｆ  ＷＩ：Ｎｅｗ  Ｒａｄｉｏ  Ａｃｃｅｓｓ  Ｔｅｃｈｎｏｌｏｇｙ”，Ｓ．Ｙ．Ｌｉｅｎ，Ｓ．Ｌ．Ｓｈｉｅｈ，Ｙ．Ｈｕａｎｇ，Ｂ．Ｓｕ，Ｙ．Ｌ．Ｈｓｕ  ａｎｄ  Ｈ．Ｙ．Ｗｅｉ，“５Ｇ  Ｎｅｗ  Ｒａｄｉｏ：Ｗａｖｅｆｏｒｍ，Ｆｒａｍｅ  Ｓｔｒｕｃｔｕｒｅ，Ｍｕｌｔｉｐｌｅ  Ａｃｃｅｓｓ，ａｎｄ  Ｉｎｉｔｉａｌ  Ａｃｃｅｓｓ，”ｉｎ  ＩＥＥＥ  Ｃｏｍｍｕｎｉｃａｔｉｏｎｓ  Ｍａｇａｚｉｎｅ，ｖｏｌ．５５、ｎｏ．６，ｐｐ．６４−７１，２０１７）に関する進行中の作業項目に関する。それは、「初期アクセス（ｉｎｉｔｉａｌ  ａｃｃｅｓｓ）」フレームワークに関する。初期アクセスは、取り分け、同期信号及びページング設計を含む。具体的には、幾つかの実施形態が、ＵＥ側におけるページング受信をより効率的にするために、ＳＳＢをページングに関連付けることができる機構を提供する。
【００１２】
以下の点は、ＬＴＥにおけるページング動作を要約し、ＮＲにおける類似点と相違点を強調する。
【００１３】
・既に指摘したように、ページングは、いわゆる追跡区域内のＵＥの位置を突き止め、ＵＥが基本的にＩＤＬＥモードにあるときにセットアップ接続を開始するために用いられる。従って、ＬＴＥにおいて、ページングメッセージが追跡区域の各セル内にブロードキャストされる。追跡区域に基づくこの動作は、ＮＲにおいても類似であると期待される。
【００１４】
・ＬＴＥにおいて、ページングメッセージを受信するために、「通常（ｎｏｒｍａｌ）」データ送信に類似の機構が用いられる。即ち、初めにＵＥが、どこでいつ実際のページングメッセージが送信されるかを知るための制御情報（物理レイヤ及びＭＡＣレイヤを指すレイヤ１／レイヤ２のシグナリングを意味するＬ１／Ｌ２シグナリング）を受信し監視する。以後、このＬ１／Ｌ２シグナリング及び実際のページングメッセージは、それぞれ、ページングＤＣＩ（ダウンリンク制御情報）及びページングメッセージと呼ばれる。この挙動はＮＲにおいても、少なくとも基準として採用される。さらに、ＮＲの文脈において、ページングＤＣＩは、一般にＣＯＲＥＳＥＴ（ＣＯｎｆｉｇｕｒａｔｉｏｎ  ＲＥｓｏｕｒｃｅ  ＳＥＴ）と呼ばれる一組のリソースに含まれる。それ故に、ＵＥは、ページングメッセージを受信するためにページングＣＯＲＥＳＥＴの位置を突き止めて受信する必要がある。
【００１５】
・ＬＴＥにおいて、ページングＤＣＩ／メッセージは追跡区域のセル内にブロードキャストされるが、ＮＲにおいては、ビーム動作が一般にサポートされる。即ち、ページングメッセージは、種々の方向に、種々の時間スロットにおいて送信される。
【００１６】
・ＬＴＥにおけるエネルギ効率的な動作を可能にするために、ＩＤＬＥモードのＵＥは殆どの時間スリープし、それらが潜在的にページングされるときにのみウェイクアップする。ＵＥをページングすることができる時刻インスタンスはページング機会（ＰＯ：Ｐａｇｉｎｇ  Ｏｃｃａｓｉｏｎ）と呼ばれ、この故に、ページングサイクルが定められる。所定の式により、ＵＥ  ＩＤ及び他のパラメータを用いて、各々のＵＥは、いつ、ページング、即ち、ＰＯ（フレーム及びサブフレーム）を監視する必要があるかを決定する。以後、これはＰＯ計算と呼ばれる。ＮＲにおいては、類似の挙動が期待されるが、幾つかの違いがある。ＵＥはまた、所定の式を用いてそれらの対応するＰＯの時間−位置を決定し、ＰＯを周期的に監視する。しかし、ビーム探索動作をサポートするために、ＰＯは、場合により幾つかの時間スロット（全ての必要なビームが送信される）で構成される時間間隔として定められる。それ故に、ＵＥがＰＯ計算によって決定するものは、ＰＯの開始時間となる。従って、原理的に、ＵＥは、それに関係するページングメッセージが送信されたかどうかを確かめるために全てのＰＯ間隔の間、リッスンする必要があることになり、エネルギ消費の観点から効率的ではない挙動となる。
【００１７】
・ＬＴＥにおいて、ＰＯは、ページングＤＣＩが場合により送信される（予備のＩＤ：Ｐ−ＲＮＴＩを用いて）フレーム及びサブフレームを示す。ＮＲにおいては、動作はよりフレキシブルである。ページングＣＯＲＥＳＥＴは、スロット内部で、種々のＯＦＭＤシンボル（以後、シンボル）で送信することができ、その持続もまた可変である。即ち、ページングＣＯＲＥＳＥＴ持続は１つ又はそれ以上のシンボルとすることができる。従って、ＵＥに、監視すべきページングＣＯＲＥＳＥＴの正確な時間−位置を示すために、シンボルについての分解度の指示（インジケーション：ｉｎｄｉｃａｔｉｏｎ）が必要となる。スロットは時間領域において１４のシンボルからなることを思い出されたい。
【００１８】
既に指摘したように、ＮＲの１つの基本的な特徴は、ビーム形成に基づく動作に対するサポートである。セルラーシステムにおける１つの重要な機能は、ＵＥのための信頼性のある時間−周波数基準を提供することである。ＬＴＥにおいてこの目的のために用いられる信号は、セル内にブロードキャストされ、ＮＲにおいては、この信号は、種々の時刻に種々の方向（ビーム）に送信される必要がある。それ故に、ＳＳＢは、ＵＥがシステムにアクセスするのを可能にするための時間−周波数基準及び情報を含むように定められる。ＳＳＢは、それぞれ全ての方向に送信されるので、原理的には、ＵＥがそれらの時間多重ＳＳＢの少なくとも１つをキャッチすること、即ち、成功裏に受信することができ、最終的にはシステムにアクセスすることができる。それ故に、ＵＥは、それが受信するＳＳＢにより、それ自体の位置を突き止める。１）これらの信号は、他の目的、例えば、無線リソース管理のために周期的に監視され、２）原理的にはＩＤＬＥのＵＥでさえも、それらが属するＳＳＢを常に決定することができるので、何らかのアソシエーションが存在し、ＵＥに対してシグナリングされるか又はＵＥにより知られる限り、この知見を、いつＰＯ（その方向に送信される１つ）が送信されることになるかを知るために用いることが可能となる。本開示は、これらのアソシエーションを生成してシグナリングするための方式に関する。
【００１９】
・マルチビーム動作におけるページングに関する、ページングのためのサポートビーム探索、及び以下の方法の研究：
○Ａｌｔ−１：ＳＳブロック（さらなる研究のために残されるページングの詳細）を用いてページングを多重化すること。
○Ａｌｔ−２：ページングのためのビーム探索の別の循環を加えること（注意：ビーム探索の別の循環は、ＳＳバーストセットのビーム探索とは異なる）。
○他の代替案は排除されない。事業者は、ページングに関するそれらの仮定を報告する。
【００２０】
・少なくともＲＲＣアイドルモードのためのページングチャネル設計をサポートすることは、以下の通りである：ページングメッセージが、ＮＲ−ＰＤＣＣＨにより搬送されるＤＣＩによってスケジューリングされ、関連付けられるＮＲ−ＰＤＳＣＨ内で送信される。
【００２１】
・ページングに関して、ＲＡＮ１（無線アクセスネットワーク上の３ＧＰＰ作業グループ、レイヤ１）は以下の選択肢から選択されることになる：
○選択肢１：ページングメッセージが続くページングＤＣＩ
・注意：これらは、それらが連続することを意味しない
○選択肢２：ＵＥフィードバックをトリガするページンググループインジケータ及びページングメッセージが続くページングＤＣＩ
○選択肢３：ページンググループインジケータ及びページングメッセージが続くページングＤＣＩ
○選択肢４：ページングＤＣＩが選択肢１又は２の使用を示す。
【００２２】
・ＲＡＮ２（３ＧＰＰ作業グループＲＡＮ、レイヤ２）は、ページングＤＣＩ及びページングメッセージが、上記の選択肢を含む同じ又は異なるＰＯ内に有り得るかどうかを明確にするであろう。
【００２３】
・少なくとも選択肢１（ページングメッセージが続くページングスケジューリングＤＣＩ）がサポートされる。
○ページングスケジューリングＤＣＩ及びページングメッセージは、少なくとも同じスロット内で送信される。
○ＮＲは、ＵＥがそのＰＯ／スロットで明確に設定される場合、ＬＴＥ類似のＵＥグループ化をサポートする。これは、選択肢１の一部分と考えられる。
○ＵＥグループ化の細部はＲＡＮ２次第である。
【００２４】
・ページング機会のための少なくともいくつかのパラメータは、明示的にシグナリングされる。
○ＲＡＮ１は、このことが、少なくとも周期的にＵＥがページングスケジューリングＤＣ１を監視することを含むことを理解する。
【００２５】
・上記のそのような情報がＲＭＳＩ又はＯＳＩにおけるかどうかを決定することはＲＡＮ２次第である。
【００２６】
・ＵＥは、ＳＳブロック、ページングＤＣＩ及びページングメッセージの間のＱＣＬを仮定することができる
○ＳＳブロックと、ページングＤＣＩ可能なサブセット／メッセージとの間のアソシエーションに関する詳細は今後検討される。
【００２７】
つまり、３ＧＰＰにおける幾つかの関連する合意（ａｇｒｅｅｍｅｎｔｓ）は以下のように要約することができる。
【００２８】
・ＮＲにおいて（ＬＴＥに類似して）ページングは、追跡区域（場合により複数のセルで構成される）内でＩＤＬＥモードのＵＥの位置を決定する、ネットワーク始動機構（ａ  ｎｅｔｗｏｒｋ−ｉｎｉｔｉａｔｅｄ  ｍｅｃｈａｎｉｓｍｓ）であり、次いで接続セットアップを開始する。
【００２９】
・ＲＡＮ１＃８７において、マルチビーム動作におけるページングのためのサポートが合意された。ＲＡＮ１＃８８における後の合意は、ページングメッセージが、ＮＲ−ＰＤＣＣＨにより搬送されるＤＣＩによってスケジューリングされ、関連付けられるＮＲ−ＰＤＳＣＨにおいて送信されることをさらに詳述する。
【００３０】
・ＲＡＮ１  ＮＲ＃３において、幾つかのページング機構（ｍｅｃｈａｎｉｓｍｓ）が提案され、最近の会合、ＲＡＮ１  ９０Ｂにおける合意は以下を含む：
○少なくとも選択肢１、即ち、ページングメッセージが続くページングＤＣＩがサポートされ、
○ページング機会（ＰＯ）のための少なくともいくつかのパラメータが明示的にシグナリングされ、及び、
○ＵＥは、同期ブロック（ＳＳＢ）とページング信号（ＤＣＩ及びメッセージ）との間の疑似コロケーション（ＱＣＬ：Ｑｕａｓｉ−ｃｏｌｏｃａｔｉｏｎ）を仮定することができる。
【００３１】
・ＳＳＢと、ページングＤＣＩの可能なサブセット／メッセージとの間のアソシエーションに関する詳細はさらなる研究のために残された。
【００３２】
・実際に送信されるＳＳＢの時間−位置は、残りの最小システム情報（ＲＭＳＩ：ｒｅｍａｉｎｉｎｇ  ｍｉｎｉｍｕｍ  ｓｙｓｔｅｍ  ｉｎｆｏｒｍａｔｉｏｎ）の中でシグナリングされることも合意された（ＲＡＮ１＃９０ｂ）。
【００３３】
・ＮＲにおいて、ＵＥはまた、対応するＰＯを監視するために周期的にウェイクアップすることが期待される（ＬＴＥの類似の挙動）。
【００３４】
ＬＴＥにおいて及び多分ＮＲにおいても、同期信号を検知した後の初期同期（ＵＥが未だキャンプオンしていないか又はＬＴＥセルに接続されていないとき）の場合、ＵＥは、物理ブロードキャストチャネル（ＰＢＣＨ：Ｐｈｙｓｉｃａｌ  Ｂｒｏａｄｃａｓｔ  ＣＨａｎｎｅｌ）を復号し、それから重要なシステム情報が得られる。具体的には、ＰＳＳ及びＳＳＳが周期的に送信され、端末がスロット境界タイミングを取得できるようにする。次に、設定情報を搬送するセルのＰＢＣＨを読み取ることができる。設定情報は、全ての端末及び／又は端末のグループによって読み取られる共通の設定情報とすることができる。これは、例えば、ページングリソースなどのセルリソースの設定を含むことができる。上述のＲＭＳＩ及びＯＳＩは、ＰＢＣＨを形成するように向けられるリソースであり、さらに、セル内の任意の端末によって読み取られる（セル）ブロードキャスト共通情報を搬送する。この情報はさらに設定を搬送することができる。設定情報はリソース制御プロトコル（ＲＲＣ：ｒｅｓｏｕｒｃｅ  ｃｏｎｔｒｏｌ  ｐｒｏｔｏｃｏｌ）によって搬送することができる。
【００３５】
図１は、ＮＲにおける時間／周波数同期のための手段として幾つかのブロックを使用することの理論的根拠を示す。候補のＳＳＢ位置、並びにそれらの総数は標準的に準備することができ、２４０ＫＨｚのサブキャリア間隔に対してＬ＝６４ＳＳＢの最大値を伴うヌメロロジー（ＮＵＭＥＲＯＬＯＧＹ）に特化されたものとすることができる。ヌメロロジーは、サブキャリアの間隔及びサイクリックプレフィックス（ＣＰ：ｃｙｃｌｉｃ  ｐｒｅｆｉｘ）のオーバーヘッドによって定められる。図１において、候補位置はボックスとして表されている。この表現において、Ｌ＝８の可能なＳＳＢの内の５個は、ネットワークによって実際に送信され（それらそれぞれのＳＳＢインデックス、「ＳＳＢ１」、「ＳＳＢ２」などによって示される）、ＲＭＳＩを通してシグナリングされる。ここで、この指示はビットマップＢ１＝１０１１０１０１によって表される。一般に、基地局（ＮＲにおいてはｇＮＢと呼ばれ、ＬＴＥのｅＮＢ／ｅＮｏｄｅＢと類似する）は、図２に示されるように、セル／セクタをカバーするように、種々の時刻に種々のビームを用いて種々のＳＳＢを送信する。
【００３６】
ＵＥは、幾つかの他の機能、例えば、無線リソース管理（ＲＲＭ：Ｒａｄｉｏ  Ｒｅｓｏｕｒｃｅ  Ｍａｎａｇｅｍｅｎｔ）（例えば、ハンドオーバー）を実行するために、ＳＳＢを監視し、それ故に、ＵＥは最良の受信ビームを知ることに留意されたい。さらに、ｇＮＢは、追跡区域内のＩＤＬＥモードのＵＥの位置を知らないので、ページングメッセージもまたビーム探索される必要があり、それ故に普通の設計はＳＳＢの動作とページングとを関連付けることである。
【００３７】
上記の合意の中でも本開示に関する重要な合意は、ＳＳＢとページング（ＤＣＩ／メッセージ）との間のＱＣＬ（Ｑｕａｓｉ−ｃｏｌｏｃａｔｉｏｎ）がＵＥによって推定されることができることを述べている。疑似コロケーション（ＱＣＬ：ｑｕａｓｉ−ｃｏ−ｌｏｃａｔｉｏｎ）の概念は、異なるアンテナポートによって送信される信号の影響を受ける無線チャネルは、それらが疑似コロケーションされる場合及びその場合にのみ、同じ大規模な特性（例えば、平均遅延速度、ドップラー広がり／シフト、平均利得など）を有することを意味する。実際に、このことは、２つの異なるチャネルに対応する信号（例えば、ＳＳＢ及びページング）が、同じビーム構造を用いて、同じ送受信ポイント（ＴＲＰ：Ｔｒａｎｓｍｉｓｓｉｏｎ  ａｎｄ  Ｒｅｃｅｐｔｉｏｎ  Ｐｏｉｎｔ）から送信されることを意味する。この合意は、各ＳＳＢとページングメッセージとの間の、ＱＣＬを通したリンクを作成するために重要であり、そのようなアソシエーションをどのように作る／作成するかは決定されないまま残されており、これが、本開示の目的である。
【００３８】
前述のように、ＵＥが、場合により多くのページングメッセージが種々の方向に送信される全てのＰＯを監視することは、効率的ではない。ＱＣＬ原理、並びに、ページング及びＳＳＢの両方が、各ＳＳＢと対応／関連するページングメッセージとの間のリンクを生成することによって、セル内でビーム探索される必要があるという事実、を利用することが望ましい。
【００３９】
ＮＲにおいて、ＲＡＮ２の理解によれば、ページング機会（ＰＯ）はページング信号（ＤＣＩ又はメッセージ）が送信される時間間隔として定められ、１つ又は複数の時間スロットから構成される。図３は、ページングＣＯＲＥＳＥＴ（ＰＣ）を含むＰＯを示す。
【００４０】
ＬＴＥに対して同様に、ＵＥはその対応するＰＯの時間位置を決定する必要がある。ここで、このことはＰＯ計算と呼ばれる。例えば、ＰＯ計算は入力としてＵＥ  ＩＤ、他のシステムパラメータを有することができ、ＮＲの場合には、ＳＳＢとページングとの間のＱＣＬを利用するために、ＵＥの対応する（最適）ＳＳＢインデックスをさらに使用することができる。
【００４１】
しかし、一般に、ＵＥが、幾つかのページングＣＯＲＥＳＥＴが種々のビームを用いて送信される全体のＰＯを監視することは、非効率的（エネルギが大きい）であり得、避けることが望ましい。それ故に、ＱＣＬを利用することが好ましい手法である。
【００４２】
従って、本開示の目的は、各ＵＥがもっぱら対応するページングＣＯＲＥＳＥＴに焦点を絞るように、いかにしてＳＳＢ−ｔｏ−ＣＯＲＥＳＥＴマッピングを関連付け、シグナリングするか、と述べることができる。
【００４３】
本開示の例示的な構想は、ＵＥにそれらの対応する、ＰＯの第１のスロット／シンボル又はＳＳＢシンボル／スロットに関する、ページングＣＯＲＥＳＥＴシンボル／スロットのオフセット（ＰＯ内の）を、ＲＭＳＩ又はＯＳＩ（他のシステム情報）を介して示すことである。
【００４４】
この構想を実行するために、以下のステップを行うことができる。
【００４５】
１．  ＰＯの第１のシンボル／スロットを得るために、場合によりＳＳＢインデックスを含むＰＯ計算が必要である。（３ＧＰＰ  ＴＳ  ３６．３０４、ｖ．１４．４．０，“Ｕｓｅｒ  Ｅｑｕｉｐｍｅｎｔ  （ＵＥ）  ｐｒｏｃｅｄｕｒｅｓ  ｉｎ  ｉｄｌｅ  ｍｏｄｅ”，Ｓｅｃｔｉｏｎ  ７）において指定されたＬＴＥページング式が基礎となる。
【００４６】
２．  ひとたび、ＰＯの第１のシンボル／スロットが得られると、それに関するオフセット（シフト）が、主構想において示されるように、関連するページングＣＯＲＥＳＥＴの正確な位置を示すように決定される。
【００４７】
本開示の例示的な実施形態によるユーザデバイス及びそれに対応する基地局が図４に示される。ユーザデバイス４１０（即ち、ユーザ機器（ＵＥ）又はユーザ端末）と基地局４６０（即ち、ＮＲのｇＮＢ）は無線チャネル４５０上で互いに通信する。
【００４８】
本開示は、ページング信号の送信及び受信並びに特にページング信号の位置の決定に関する。
【００４９】
ページング情報を効率的にシグナリングするために、幾つかの実施形態において、ページング情報の位置が、ページング情報を搬送するために実際に使用されるそれぞれのリソースの開始点及び１つ若しくはそれ以上のオフセットによって決定される。オフセットは開始点に関して定められる。
【００５０】
一般に、ページング情報はネットワーク（例えば、無線インターフェース上の基地局））によって、システムリソースのページング領域内に送信することができる。ページング領域は、端末のグループ（全ての端末とすることができる）によって読み取られる。電力を節約するために、端末は、ページング情報を搬送するためのネットワークによって一般的に設定可能なリソースのうち、ページング情報を搬送するように設定されたページングリソースのみを読み取る。
【００５１】
一実施形態によれば、図４に示されるユーザデバイス４１０は、基地局へ／からデータを送信及び／又は受信するための送信器及び／又は受信器を含むトランシーバ４２０、並びに回路４３０を備える。
【００５２】
ユーザデバイス４１０の処理回路４３０は、動作中に、ユーザデバイスがページングされるリソースを含むページング領域であって、前記ユーザデバイスをページングするためのページング情報を含むページング領域の開始位置を計算する。さらに、この回路はページング領域の開始位置に関するオフセットを決定する。ページング領域の開始位置に関するオフセットは、前記ユーザデバイスをページングするためのページング情報の位置（例えば、ＣＯＲＥＳＥＴの位置）をページング領域の開始位置に対して相対的に示す。さらに、開始位置及び開始位置に関するオフセットによって示される位置にあるページング情報を用いて、ユーザデバイスの回路は、動作中に、ユーザデバイスのページングを行う。
【００５３】
基地局４６０は、動作中に、ユーザデバイスがページングされるページング領域を決定する処理回路４８０を備える。さらに、回路４８０は、ページング領域の開始位置に関するオフセットであって、前記ユーザデバイスをページングするためのページング情報の位置をページング領域の開始位置に対して相対的に示すオフセットを決定し、さらに、前記ユーザデバイスをページングするためのページング情報をオフセットによって示される位置にあるリソースに割り当てる。基地局４６０は、動作中に、オフセットによって示されるリソース上のページング情報をユーザデバイスに送信する送信器４７０（トランシーバ）をさらに備える。
【００５４】
通信システム内で基地局へ／からデータを送信及び／又は受信するユーザデバイスによって行われるデータ送信及び／又は受信方法がさらに開示される。
【００５５】
この方法は、ユーザデバイスがページングされるリソースを含むページング領域であって、前記ユーザデバイスをページングするためのページング情報を含むページング領域の開始位置を計算するステップを含む。本方法はさらに、ページング領域の開始位置に関するオフセットであって、前記ユーザデバイスをページングするためのページング情報の位置を、ページング領域の開始位置に対して相対的に示すオフセットを決定するステップを含む。
【００５６】
通信システム内で基地局によって行われるデータ送信及び／又は受信方法がさらに開示される。この方法は、ユーザデバイスがページングされるページング領域を決定するステップと、ページング領域の開始位置に関するオフセットであって、前記ユーザデバイスをページングするためのページング情報の位置を、ページング領域の開始位置に対して相対的に示すオフセットを決定するステップと、前記ユーザデバイスをページングするためのページング情報を、オフセットによって示される位置にあるリソースに割り当てるステップと、オフセットにより示されるリソース上のページング情報をユーザデバイスに送信するステップとを含む。
【００５７】
ユーザデバイス４１０及び基地局４６０の説明された動作において、ページング領域は、上記のページング機会（ＰＯ）に対応することができる。従って、ページング領域の開始位置は、ページング領域の境界、例えば、時間方向（即ち、スロット／シンボル番号付けの方向）における第１のスロット又は第１のシンボルの位置、に対応することができる。ページング領域は、通信システムのリソース内部の領域である。ページング領域は、通信システム内でページング情報を搬送するように設定可能な第１のリソースで開始することができる。しかし、より一般的には、開始位置は、場合によりページング領域内の、ページング情報の位置を示すオフセットが、それに対して相対的に決定される任意の位置（例えば、スロット又はシンボル）を指すと理解することもできる。
【００５８】
例えば、ユーザデバイス４１０をページングするためのページング情報は、上記のページングＣＯＲＥＳＥＴに対応する。オフセットは、ページング情報（例えば、ＣＯＲＥＳＥＴの位置）の位置を、ページング領域の開始位置に対して相対的に示す。従って、オフセットは、開始位置からユーザデバイスをページングするためのページング情報の位置までのシフト、又は、換言すれば、ページング領域の開始位置とユーザデバイスのための実際のページング情報との間の距離に対応する。
【００５９】
例示的な一実施形態において、ユーザデバイスがページングされるリソースは、時間領域内のリソースである。従って、ページング領域の開始位置、及び前記ユーザデバイスをページングするためのページング情報の位置は、時間領域内のリソースの位置である。それ故に、例えば、ページング領域の開始位置は、シンボル又はスロットを示すことができる。従って、前記ユーザデバイスをページングするためのページング情報の位置を示すオフセットもまた、シンボル及び／又はスロットを示す。しかし、本開示はさらに、ユーザデバイスをページングするためのページング情報が位置する、周波数領域内の位置（即ち、キャリア又はサブキャリア／サブキャリア（複数））が送信／受信にある場合にも適用可能である。そうでなければ、周波数領域内のページング情報の位置／位置（複数）は、別の方式、例えば、シグナリングされることによって決定することができる。
【００６０】
しかし、本開示は、いずれの特定の手法にも限定されず、付加的に又は代替的に、周波数リソースは、所定のラスタ（それぞれのサブキャリア内の同期信号の所定のパターン）を用いるブラインド復号によって決定することができる。
【００６１】
同期及びページング手順は、基地局などの同じ（又は実質的に同じ）送受信ポイント（ＴＲＰ：ｔｒａｎｓｍｉｓｓｉｏｎ  ａｎｄ  ｒｅｃｅｐｔｉｏｎ  ｐｏｉｎｔ）から同じビーム構造を用いて送信されるなどの幾つかの共通の特徴を共有する。従って、これらの２つの手順を関連付けることが実際的であり得る。同期リソースは同期ブロック（ＳＳＢ）とすることができる。１つのＳＳＢは、通信システムリソースの間のその位置によって定めることができる。例えば、ＮＲにおいて、ＳＳＢは時間−周波数格子内のブロック、即ち、特定の数のシンボル（時間領域内の）及びサブキャリア（周波数領域内の）として与えることができる。
【００６２】
ＰＯなどのページング領域の決定に関して、２つの代替的な例示的可能性がある。全てのＳＳＢに共通のページング領域（図５に示される実施形態１）、及びそれぞれのＳＳＢに特化されたページング領域（図６に示される実施形態２）があり、これらは以下で説明されることになる。
【００６３】
実施形態１
ページング領域は全てのＳＳＢに対して共通である。即ち、ページング領域は複数の同期ブロックの各々に対して共通の共通ページング領域である。それ故に、ページング領域の開始位置（即ち、ＰＯの第１のスロット又はシンボル）は、種々の方向に対応するそれぞれのビーム内で、基地局により送信される全てのＳＳＢに対して一義的且つ共通である。このことは、それぞれ異なるビームに関連付けられるページング情報の全ての候補位置が互いに隣接することを意味する。従って、ページング領域、及びそれ故にユーザデバイスの回路によって計算される開始位置は、幾つかのビームのどれをユーザデバイスが捉えるか及びそれぞれのビーム上で送信されるどのＳＳＢをユーザデバイスが受信するかに関わらず、同じである。そのような共通ＰＯが図５に示される。
【００６４】
実施形態１は、例えば、ＰＯが全てのＳＳＢに対して共通である場合に、ページングＣＯＲＥＳＥＴのオフセットシンボル／スロットを示す（例えば、ＲＭＳＩ又はＯＳＩを介して）アソシエーション方法を含む。この方法は、シンボル／スロットのページングビットマップ、ＰＯ計算において計算される値のタイプに依存する絶対的又は相対的なシンボルオフセット、並びに、所与のスロット／シンボルからのスロットオフセットとスロット内のシンボルインデックス／オフセットとを示すための組み合わせ、を含む。
【００６５】
以下では、実施形態１（共通ページング領域）に関連付けられる幾つかの例示的な代替案が説明される。そこでは、ＵＥがＰＯ計算を行うことになり、それから、以後Ｘとしても示される開始位置（例えば、時間領域において、ＰＯの開始シンボル／スロット）を得ることになる。
【００６６】
代替案１）に関連付けられる幾つかの例示的な実施形態において、ユーザデバイスの回路は、動作中に、基地局から、ユーザデバイスをページングするためのページング位置の、ページング領域の開始位置に関するオフセットのインジケータを、さらに受信する。最後に、ユーザデバイスのためのページング情報（例えば、ターゲットのページングＣＯＲＥＳＥＴ）のターゲット位置が、基地局により、幾つかの異なる例示的な選択肢を用いて、送信される。以下では、オフセットを示す送信／受信されるインジケータの幾つかの実施例が説明される。例えば、オフセットのインジケータは、基地局によって送信され及びそれから受信される、残りの最小システム情報、ＲＭＳＩ、又は他のシステム情報、ＯＳＩ、に含まれる。
【００６７】
実施例１―１
例えば、オフセットを示す情報（即ち、インジケータ）は、前記ユーザデバイスをページングするためのページング情報を含むページング領域内のページング情報の位置を示すページングビットマップである。ページングビットマップは、各々が、ページングＣＯＲＥＳＥＴなどのページング情報の位置に割り当てられるリソースユニット（例えば、リソースブロック、スロット）に対応するビットで構成される。それぞれのリソースユニットは、ユーザデバイスのためのページング情報を実際に搬送する設定リソースセットを搬送する。ページング機会は、基地局によってページング情報を搬送するように設定することができる一組のリソースユニットの内の一リソースユニットである。
【００６８】
例えば、ユーザデバイス、具体的にはその処理回路は、さらに、基地局から、同期ブロックを送信するための候補位置の組（ｓｅｔ）のうちにおいて同期ブロックが送信される複数の位置を示す同期ビットマップを、受信する。次に、ユーザデバイスは、同期ビットマップによって示される複数の位置から、前記ユーザデバイスの同期のために最適な同期ブロックの位置の順序値（ｏｒｄｉｎａｌ  ｖａｌｕｅ）を決定する。ここで、前記ユーザデバイスの同期のために最適な同期ブロックの順序値は、第１のビットマップによって示される、前記ユーザデバイスをページングするためのページング情報の位置の順序値に対応する。
【００６９】
従って、ユーザデバイスは、ページング情報の位置を、ビットセットのうちから、同期ビットマップ内で決定された順序値に対応するページングビットマップの内の１つに決定する。ここで、ユーザデバイスは、通信システムを使用してビーム形成を適用し、それぞれの同期ブロックを搬送するように、種々の方向に差し向けるビームが周期的に切り替えられる。最適の同期ブロックの順序値の決定は、ビームのうちで「最良のビーム（ｂｅｓｔ  ｂｅａｍ）」を捉えることに対応する。ユーザデバイスにとって、最良のビームは、ユーザデバイスが最大エネルギ、即ち、よりよく検出されるエネルギを検出するビームである。典型的には、ユーザデバイスは、基地局／ＴＲＰに対するユーザデバイスの相対的位置に応じて１つのビームからだけエネルギを検出することができることになる（ユーザデバイスが２つの異なるビームによってカバーされる区域の間の境界区域に位置しない限り）。ユーザデバイスは、それぞれの順序数に関連付けられる異なるビームが、ユーザデバイスが知っている異なる所定の時間間隔の間に送信されるので、最良ビームの順序数を知る。ユーザデバイスは、ページングビットマップから、ページング情報が実際に送信される時間位置を示すビットを数えることによってページング情報の位置の決定を行う。例えば、値「１」はページング情報がある候補位置を表し、値「０」はページング情報の無い候補位置を表す。ｎ番目のＳＳＢが最良ビームに関連付けられるＳＳＢである場合、候補位置のうちで実際の位置のページング情報を示すビットの内のｎ番目のビットが、特定のユーザデバイスをページングするためのページング情報の位置を示す。
【００７０】
上記の説明によれば、例えば、ページングビットマップは、スロット／シンボルＸからの複数のスロット／シンボルの周期にわたるビットマップである。各々のビットは、シンボル又はスロットを表し、その値に応じて、ＵＥは、それぞれのシンボル又はスロットにおいてページングメッセージ又はページングＣＯＲＥＳＥＴが送信されるかどうかを知る。この場合、ＳＳＢによる接続は、ＵＥの実際に送信される最良ＳＳＢの順序によって与えられることになる。
【００７１】
候補位置のうち、実際に送信されるＳＳＢの一例が図７に示される。ｇＮＢがＬ個の機会の内のＮ個のＳＳＢを送信する。本例においては、Ｎ＝５、Ｌ＝８及びスロットレベルの指示が仮定されている。図１と同様に、本図は、同期ビットマップＢ１を用いてネットワークがどの様にして、どのＳＳＢが候補位置のセット（図１におけると同様に、Ｂ１＝１０１１０１０１）から実際に送信されるかを示すか、を示す。この様にして、ＵＥは最良のＳＳＢの順序を決定することができる。
【００７２】
図８及び図９は、ＵＥがｔ１において３番目のＳＳＢを検出し、対応する順序（３番目）を決定することができる一例を示す。ターゲットＰＯは、ページングＣＯＲＥＳＥＴを送信することができるＭ＝１０のスロットで構成される。ｔ２においてページングビットマップＢ２（長さが１０、Ｂ２＝１１１０１１００００）が送信されると、ＵＥは、順序値（３）を用いて、関連するページングメッセージが送信されるシンボル／スロット（本例はスロットレベルの指示を仮定する）、即ち、Ｂ２内の３番目の「１」を伴うスロット、を決定することができる。対応するＰＯにおいて、ＵＥは、順序３、即ちｎ＝３を伴うスロットである、ｔ２−３におけるページングを探す。ページングビットマップは、関連するページングＣＯＲＥＳＥＴが位置するスロット位置（ＰＯ内部のオフセット）を示す。スロット内部で、例えば、対応する最良のＳＳＢビーム／インデックスを考慮に入れた式を用いて、シンボルインデックスを得ることができる。図８及び図９におけるスロットレベルの指示の仮定は単に例示的なものである。代替的な一例として、シンボルレベルの指示も可能である。
【００７３】
実施例１―１による無線リソース制御（ＲＲＣ：Ｒａｄｉｏ  Ｒｅｓｏｕｒｃｅ  Ｃｏｎｔｒｏｌ）シグナリングの一実施例が、図１０に示される。本開示によって新たに加えられた部分はボックスによって示される。具体的には、ＲＲＣシグナリングは、物理ブロードキャストチャネル（ＰＢＣＨ：ｐｈｙｓｉｃａｌ  ｂｒｏａｄｃａｓｔ  ｃｈａｎｎｅｌ）などのブロードキャストシステムリソースにおいて及び／又はＲＭＳＩ若しくはＯＳＩにおいて搬送することができる。
【００７４】
図１０において見ることができる様に、全てのページングＣＯＲＥＳＥＴに共通の情報エレメントは、ＣＯＲＥＳＥＴ−ＣＣＥ−ＲＥＧマッピングタイプ、ＣＯＲＥＳＥＴ−インターリーバ列、などを含む。さらに、情報エレメントＣＯＲＥＳＥＴ−ｆｒｅｑ−ｄｏｍが、ページングＣＯＲＥＳＥＴを搬送するのに使用される周波数リソースを示すために加えられている。それ故に、ＣＯＲＥＳＥＴ−ｆｒｅｑ−ｄｏｍは周波数領域における共通ＰＯの位置を表す。これは、特定のサブキャリア及び／又はリソースブロックなどとすることができる。一般に、周波数領域のリソースはシグナリングされる必要はなく、さらに基準によって定めることができることが留意される。
【００７５】
全てのページングＣＯＲＥＳＥＴに共通の情報の他に、図１０のＲＲＣシグナリングの実施例は、特定のＳＳＢに関する情報を含む。例えば、この実施例においては、情報エレメントＣＯＲＥＳＥＴ−ＳＳＢ−スロットマッピングが、それぞれのＳＳＢに対応する各々のＣＯＲＥＳＥＴ情報に加えられている。ＣＯＲＥＳＥＴ−ＳＳＢ−スロットマッピングは、例えば、上記のビットマップＢ２とすることができる。従って、ブロードキャストＳＳＢのいずれかを読み取る端末（ＵＥ）は情報Ｂ２を取得し、それに基づいて関連するページング情報にアクセスすることができる。
【００７６】
図１０においては、それぞれのＣＯＲＥＳＥＴ［０］及び［１］に対応するＳＳＢ［０］及びＳＳＢ［１］のみが示されている。しかし、一般に、インデックスｉによって定められるより多くのＳＳＢ／ＣＯＲＥＳＥＴ（ＳＳＢ［ｉ］及びＣＯＲＥＳＥＴ［ｉ］）が存在し得る。ＣＯＲＥＳＥＴ−ＳＳＢ−スロットマッピングはＳＳＢの各々の中で定められるので、ユーザ端末は、それが捉える特定のビームに依らないその値を引き出すことができる。ビームの数及び順序は設定可能である。
【００７７】
実施例１―２
実施形態１の他の実施例において、その値は、シンボルＸ、又はＸがスロットを表す場合にはシンボルインデックス、に関する絶対シンボルオフセットを示す。
【００７８】
例えば、計算される開始位置は、シンボルを示し、オフセットの指示は、開始に関する絶対シンボルオフセットを示す値である。この場合は図１１に示され、ＰＯ（Ｘ）の開始位置（開始シンボル）は、ＰＯ計算によって得られる。ここで、Ｘに関するシンボルによりオフセットを表す値Ｙが示されている。
【００７９】
代替的に、計算される開始位置はスロットを示し、オフセットの指示は、開始位置のスロット中のシンボルインデックスである。この場合は図１２に示され、ＰＯ（Ｘ）の開始スロットは、ＰＯ計算によって得られる。ここで値Ｙは、Ｘにより示されるスロットの内部のシンボルインデックス（オフセット）を示す。この場合、ＰＯの開始位置はスロットを指し、他方Ｙはシンボルを示すことに留意されたい。
【００８０】
実施例１―２によるＲＲＣシグナリングの一実施例が図１３に示される。再び、本開示に従って新たに加えられた部分がボックスによって示されている。この場合にも、共通情報エレメントは、ＣＯＲＥＳＥＴ−ＣＣＥ−ＲＥＧ−マッピングタイプ、ＣＯＲＥＳＥＴ−インターリーバ列などを含む。実施例１―１とは対照的に、全てのＳＳＢに共通の情報に何もエレメントを加える必要はない。
【００８１】
しかし、さらに、図１３のシグナリングの実施例は、特定のＳＳＢに関連する情報を含む。具体的には、この実施例においては、エレメントＣＯＲＥＳＥＴ−ｆｒｅｑ−ｄｏｍが、ＳＳＢ［０］及びＳＳＢ［１］などの個々のＳＳＢに向けられる情報の中でシグナリングされる。さらに、例えば、周波数オフセットをスロット内の絶対信号値として示す別の信号エレメント、ＣＯＲＥＳＥＴ−ｓｔａｒｔ−ｓｙｍｂが、個々のＳＳＢに向けられるシグナリング部分に加えられている。再び、図に示されるＳＳＢ［０］及びＳＳＢ［１］以外の付加的なＳＳＢのためのより多くのシグナリング領域が存在する。
【００８２】
代替案１―３
実施形態１のさらに別の実施例において、開始位置に関するオフセットは、シンボルＸに関するスロットオフセットと、スロット内のシンボルインデックスとを示す組み合わせである。即ち、計算される開始位置がシンボルを示し、オフセットの指示は、開始位置のシンボルに関するスロットオフセットと、スロットオフセットによって示されるスロットの内部のシンボルインデックスとの組み合わせである。
【００８３】
代替案１―３の一例が図１４に示される。この図は、ＰＯ計算によって得られる開始位置Ｘが任意のシンボルを表す例示的な場合を示す。ここで、値Ｙは、スロットオフセット（Ｘに関する）と、ページングＣＯＲＥＳＥＴの位置を示すスロット内のシンボルインデックス／オフセットとを示す組み合わせを表す。即ち、送信される値Ｙは、スロットオフセット（本例においては２）と、ターゲットスロット（本例においてはスロットｉ）内のシンボルインデックスとを与える組み合わせを示す。さらに、対応するＳＳＢのための周波数位置は、オフセットとして示すことができる。
【００８４】
図１５は、代替案１―３に対応するＲＲＣシグナリングの一実施例を示す。ここでも、再び、本開示に従って新たに加えられた部分がボックスによって示される。さらに、ここでも、全てのページングＣＯＲＥＳＥＴに共通のエレメント、ＣＯＲＥＳＥＴ−ＣＣＥ−ＲＥＧ−マッピングタイプ、ＣＯＲＥＳＥＴ−インターリーバ列、ＣＯＲＥＳＥＴ−バンドルサイズなどが、既に図１３において分かる様に、全てのページングＣＯＲＥＳＥＴに共通の領域においてシグナリングされる。さらに、図１３における様に、ＣＯＲＥＳＥＴ−ｆｒｅｑ−ｄｏｍ及びＣＯＲＥＳＥＴ−ｓｔａｒｔ−ｓｙｍｂが、それぞれ特定のＳＳＢに向けられるシグナリング領域ＳＳＢ［０］、ＳＳＢ［１］などにおいて、シグナリングされる。さらに、ＣＯＲＥＳＥＴ−開始スロットが、それぞれのＳＳＢに関してシグナリングされる。ここで、２つのエレメント、ＣＯＲＥＳＥＴ−開始スロット及びＣＯＲＥＳＥＴ−開始シンボルはそれぞれ、スロットオフセット及びスロット内のシンボルインデックスをそれぞれ示す値に対応する。スロットは、時間領域において１４個のシンボルで構成されるので、ＣＯＲＥＳＥＴ−開始シンボルの値をシグナリングするためには４ビットで十分である。
【００８５】
実施形態２
ページング領域は、それぞれ種々異なるビーム上で送信される種々異なるＳＳＢに特化され、前記ユーザデバイスをページングするためのページング情報を含んだページング領域を含む複数のページング領域からのそれぞれのページング領域は、それぞれの同期ブロックに関連付けられる。この場合、特定のビームに対応する各々のＳＳＢはその対応するページング領域を有する。種々異なるビーム／ＳＳＢにそれぞれ対応する種々異なるページング領域は、いずれのページング領域にも属さないリソース（例えば、時間領域における、１つ又はそれ以上のスロット若しくはシンボル）によって互いに分離することができる。ユーザデバイスが捉える特定のビームに応じて、種々異なる開始位置がページング領域の計算において得られる。分離したＳＳＢ／ビームに特化されたページング領域（ＰＯ）は図６に示される。
【００８６】
実施形態２は、ＰＯがＳＳＢに特化される場合、ページングＣＯＲＥＳＥＴのオフセットシンボル／スロットを示すアソシエーション方法を含む。このアソシエーションは、ＰＯの開始シンボル／スロット及びシンボル／スロットのオフセットを得るＰＯ計算に基づくことになる。
【００８７】
分離したページング領域（ＰＯ）の別の例が図１６に示される。この場合、ＰＯはそれぞれのＳＳＢ（ビーム）に特化される。再び、ページングＣＯＲＥＳＥＴの位置を決定するための２つの変数、ＰＯの開始シンボル／スロット及びそれに関するシンボル／スロットのオフセット、が必要となる。
【００８８】
実施形態２の一実施例において、回路が、動作中に、ページング領域の開始位置を計算し、それぞれのページング機会ＰＯの計算を行うことにより、ページング情報の位置を示すオフセットを決定する。ＵＥはＰＯ計算を行い、それから、１）ＰＯの開始シンボル／スロット、及び、２）ＰＯの開始シンボル／スロットに関する対応するシンボル／スロットのオフセット、を得ることになる。この挙動は、図１６に示される。この図に描かれる様に、ＰＯの絶対時間−位置及びＰＯ内の相対的なＣＯＲＥＳＥＴ位置の両方は、ＳＳＢに特化され、ＰＯ計算から得ることができる。
【００８９】
１つの可能な実施例は、以下の式、
ｉ＿ｓ＝ｆｌｏｏｒ（ＵＥ＿ＩＤ／Ｎ）ｍｏｄ  Ｎｓ＋ＳＳＢ＿ｉｎｄｅｘ＿ｎｕｍｂｅｒ＊ＯｆｆｓｅｔＢｅｔｗｅｅｎＣＯＲＥＳＥＴ
によってＰＯを得るための式であり、ここで、
ＳＳＢ＿ｉｎｄｅｘ＿ｎｕｍｂｅｒは、ＴＤＭｅｄ  ＳＳＢ内のｎ番目のＳＳＢインデックス番号を数えるものであり、
Ｎｓ＝場所／位置の数、
Ｎ＝ｍｉｎ（Ｔ，ｎＢ）、ＴとｎＢのうちの最小値（最も小さい値）を意味する。
ｎＢは、ＳＩＢ２（ＩＥ  ｎＢ）からくる４Ｔ、２Ｔ、Ｔ、Ｔ／２、Ｔ／４、Ｔ／８、Ｔ／１６、Ｔ／３２の内のいずれか１つとすることができる。ＴはＵＥのＤＲＸサイクルである。ＯｆｆｓｅｔＢｅｔｗｅｅｎＣＯＲＥＳＥＴは、２つのＣＯＲＥＳＥＴの間のシンボル距離である。
【００９０】
次に各々のＰＯ位置は上式によって直接得ることができる。その様なＰＯ計算は、ＬＴＥにおいて行われた（引用により本明細書に組み入れられるＴＳ３６．３０４，Ｓｅｃ．７：ｐａｇｅ３９、に指定されたＬＴＥページング式を用いて）ＰＯ計算に対応する。
【００９１】
ページング領域の開始位置及びオフセットは、ユーザデバイスによって行われるＰＯ計算により、付加的なシグナリングを導入する必要なしに計算することができる。従って、ＲＲＣシグナリングは、基地局により、図１７に示されるように行うことができる。分かるように、全てのページングＣＯＲＥＳＥＴに対して共通のシグナリングだけが、図１３及び図１５の実施例におけるのと同じエレメント、例えば、ＣＯＲＥＳＥＴ−ＣＣＥ−ＲＥＧ−マッピングタイプ、ＣＯＲＥＳＥＴ−インターリーバ列、ＣＯＲＥＳＥＴ−バンドルサイズなど、を用いて行われる。しかし、ページング領域の位置をシグナリングするために、全てのページングＣＯＲＥＳＥＴに対する共通シグナリングにおいてもＳＳＢに特化されたシグナリングにおいても、何も新しいエレメントを加える必要がない。これは、開始位置に対して相対的なＣＯＲＥＳＥＴ位置のオフセットが、シグナリング内で受信されるのではなく、ユーザデバイスによりＰＯ計算において計算されるからである。
【００９２】
この提案された実施形態は、幾つかの仮定、即ち、種々異なるＳＳＢのための共通ＰＯ又はＳＳＢに特化されたＰＯ、のもとで、ターゲットＰＯの位置をシグナリングするための柔軟性をもたらす。さらに、ＵＥは、ＰＯ内の全ての可能性のあるページング搬送インスタンス（スロット又はシンボル）を監視する必要がない。
【００９３】
本開示は、ソフトウェア、ハードウェア、又はハードウェアと協働するソフトウェアによって実現することができる。上記の各々の実施形態の説明に用いられた各々の機能ブロックは、集積回路などのＬＳＩによって部分的に又は完全に実現することができ、各々の実施形態において説明された各々のプロセスは、同じＬＳＩ又はＬＳＩの組み合わせによって部分的に又は完全に制御することができる。ＬＳＩは個々にチップとして形成することができ、又は１つのチップを、機能ブロックの一部分又は全てを含むように形成することができる。ＬＳＩはデータ入力部及びそれに結合された出力部を含むことができる。ここで、ＬＳＩは、集積度の差異に応じて、ＩＣ、システムＬＳＩ、スーパーＬＳＩ、又はウルトラＬＳＩを指すことができる。しかし、集積回路を実装する技術はＬＳＩに限定されず、専用回路、汎用プロセッサ、又は特定目的プロセッサを用いて実現することができる。さらに、ＬＳＩの製造後にプログラムすることができるＦＰＧＡ（Ｆｉｅｌｄ  Ｐｒｏｇｒａｍｍａｂｌｅ  Ｇａｔｅ  Ａｒｒａｙ）、又はＬＳＩの内部に配置された回路セルの接続及び調節を再構成することができる再構成可能なプロセッサを使用することができる。本開示は、デジタル処理又はアナログ処理として実現することができる。将来の集積回路技術が、半導体技術又は他の派生的技術の発達の結果としてＬＳＩを置き換える場合、機能ブロックは将来の集積回路技術を用いて統合することが可能であろう。バイオテクノロジを応用することもできる。
【００９４】
１つの一般的な態様により、通信システム内において基地局へ／からデータを送信及び／又は受信するためのユーザデバイスが提供される。このユーザデバイスは、動作中に、ユーザデバイスがページングされるリソースを含むページング領域であって、前記ユーザデバイスをページングするためのページング情報を含むページング領域の、開始位置を計算し、及び、ページング領域の開始位置に関するオフセットであって、前記ユーザデバイスをページングするためのページング情報の位置を、ページング領域の開始位置に対して相対的に示すオフセットを決定する、回路を備える。
【００９５】
幾つかの実施形態において、ユーザデバイスの回路は、動作中に、基地局からページング領域の開始位置に関するオフセットの指示（インジケータ）をさらに受信し、及び、基地局から受信した情報に基づいて、前記ユーザデバイスをページングするためのページング情報の位置を得るためのオフセットを決定する。
【００９６】
例示的な一実施形態において、オフセットのインジケータは、前記ユーザデバイスをページングするためのページング情報を含むページング領域の内部のページング情報の位置を示すページングビットマップである。
【００９７】
例えば、ユーザデバイスの回路は、基地局から、同期ブロックを送信するための候補位置の組のうちで、同期ブロックが送信される複数の位置を示す同期ビットマップをさらに受信し、及び、同期ビットマップによって示される複数の位置から、前記ユーザデバイスの同期のために最適な同期ブロックの位置の順序値を決定する。ここで、前記ユーザデバイスの同期のために最適な同期ブロックの順序値は、第１のビットマップによって示される、前記ユーザデバイスをページングするためのページング情報の位置の順序値に対応する。
【００９８】
別の例示的な実施形態において、計算される開始位置はシンボルを示し、オフセットの指示は、開始に関する絶対シンボルオフセットを示す値である。
【００９９】
さらに別の例示的な一実施形態において、計算される開始位置はスロットを示し、オフセットの指示は、開始位置のスロット中のシンボルインデックスである。
【０１００】
別の例示的な実施形態において、計算される開始位置はシンボルを示し、オフセットの指示は、開始位置のシンボルに関するスロットオフセットと、スロットオフセットによって示されるスロット内部のシンボルインデックスとの組み合わせである。
【０１０１】
例えば、オフセットのインジケータは、基地局から受信される残りの最小システム情報、ＲＭＳＩ、又は、他のシステム情報、ＯＳＩ、に含められる。
【０１０２】
別の例示的な実施形態において、ユーザデバイスの回路は、動作中に、ページング領域の開始位置を計算し、それぞれのページング機会、ＰＯ、の計算を行うことによりページング情報の位置を示すオフセットを決定する。
【０１０３】
幾つかの実施形態において、ページング領域は複数の同期ブロックの各々に対して共通の共通ページング領域である。
【０１０４】
他の実施形態において、前記ユーザデバイスをページングするためのページング情報を含んだページング領域を含む複数のページング領域からのそれぞれのページング領域は、それぞれの同期ブロックに関連付けられる。
【０１０５】
幾つかの実施形態において、ページング領域の開始位置、及び前記ユーザデバイスをページングするためのページング情報の位置は、時間領域におけるリソースの位置である。
【０１０６】
例えば、ページング領域の開始位置はシンボル又はスロットを示す。
【０１０７】
幾つかの実施形態において、前記ユーザデバイスをページングするためのページング情報の位置を示すオフセットは、シンボル及び／又はスロットを示す。
【０１０８】
さらに、通信システム内でユーザデバイスへ／からデータを送信及び／又は受信するための基地局が提供される。この基地局は、動作中に、ユーザデバイスがページングされるページング領域を決定する、回路を備える。この回路はさらに、ページング領域の開始位置に関するオフセットであって、前記ユーザデバイスをページングするためのページング情報の位置を、ページング領域の開始位置に対して相対的に示すオフセットを、決定する。この回路はさらに、前記ユーザデバイスをページングするためのページング情報を、オフセットにより示される位置にあるリソースに割り当てる。この基地局はまた、動作中に、オフセットによって示されるリソース上のページング情報をユーザデバイスに送信する、送信器を備える。
【０１０９】
別の一般的態様により、通信システム内で基地局へ／からデータを送信する及び／又は受信するユーザデバイスによって行われるデータ送信及び／又は受信方法が提供される。この方法は、ユーザデバイスがページングされるリソースを含んだページング領域であって、前記ユーザデバイスをページングするためのページング情報を含むページング領域の開始位置を計算するステップと、ページング領域の開始位置に関するオフセットであって、前記ユーザデバイスをページングするためのページング情報の位置を、ページング領域の開始位置に対して相対的に示すオフセットを決定するステップと、を含む。
【０１１０】
さらに、通信システム内で基地局によって行われるデータ送信及び／又は受信方法が提供される。本方法は、ユーザデバイスがページングされるページング領域を決定するステップと、ページング領域の開始位置に関するオフセットであって、前記ユーザデバイスをページングするためのページング情報の位置を、ページング領域の開始位置に対して相対的に示すオフセットを決定するステップと、前記ユーザデバイスをページングするためのページング情報を、オフセットによって示される位置にあるリソースに割り当てるステップと、オフセットによって示されるリソース上のページング情報をユーザデバイスに送信するステップと、を含む。
【０１１１】
要約すれば、本発明は、通信システム内の、ユーザデバイス、基地局、並びに、ユーザデバイス及び基地局によって行われるデータ送信及び受信方法に関する。ユーザデバイスは、動作中に、ユーザデバイスがページングされるリソースを含んだページング領域であって、前記ユーザデバイスをページングするためのページング情報を含むページング領域の開始位置を計算し、ページング領域の開始位置に関するオフセットであって、前記ユーザデバイスをページングするためのページング情報の位置を、ページング領域の開始位置に対して相対的に示すオフセットを決定する、回路を備える。
【図１】
2021503205.tif 000003
【図２】
2021503205.tif 000004
【図３】
2021503205.tif 000005
【図４】
2021503205.tif 000006
【図５】
2021503205.tif 000007
【図６】
2021503205.tif 000008
【図７】
2021503205.tif 000009
【図８】
2021503205.tif 000010
【図９】
2021503205.tif 000011
【図１０】
2021503205.tif 000012
【図１１】
2021503205.tif 000013
【図１２】
2021503205.tif 000014
【図１３】
2021503205.tif 000015
【図１４】
2021503205.tif 000016
【図１５】
2021503205.tif 000017
【図１６】
2021503205.tif 000018
【図１７】
2021503205.tif 000019
【国際調査報告】
2021503205.tif 000020
2021503205.tif 000021
2021503205.tif 000022